(57)【要約】【課題】カシメ用工具を用いずに、シャーシに取り付けて固定することが可能なアンテナ端子の固定構造を提供する。【解決手段】アンテナ端子１１の基部１３がシャーシ２１の孔２２に挿入され、シャーシ２１の各係合片２２ａがアンテナ端子１１の鍔１５の各切り欠き部１５ｂを通じてアンテナ端子１１の溝１４に至る。そして、アンテナ端子１１が回転されると、シャーシ２１の各係合片２２ａがアンテナ端子１１の溝１４内で回転移動して、アンテナ端子１１の各鍔片１５ａがシャーシ２１の各係合片２２ａの裏面側に重なり合って、アンテナ端子１１の各鍔片１５ａとシャーシ２１の各係合片２２ａが係合し、アンテナ端子１１がシャーシ２１に取り付けられる。【選択図】図１ 
2005044628.tif 000002
【特許請求の範囲】
【請求項１】
アンテナ端子の基部をシャーシの孔に挿入して固定するためのアンテナ端子の固定構造において、
アンテナ端子の基部外周に溝と鍔を並設して、この鍔に複数の切り欠き部を形成し、シャーシの孔内周に該アンテナ端子の鍔の各切り欠き部を通じて該アンテナ端子の溝に至る複数の係合片を設けたことを特徴とするアンテナ端子の固定構造。
【請求項２】
アンテナ端子の基部外周の溝を少なくとも１箇所でふさいだことを特徴とする請求項１に記載のアンテナ端子の固定構造。
【請求項３】
アンテナ端子の基部外周の溝の深さを徐々に変化させたことを特徴とする請求項１に記載のアンテナ端子の固定構造。
【請求項４】
アンテナ端子の基部外周の溝の幅を徐々に変化させたことを特徴とする請求項１に記載のアンテナ端子の固定構造。
【請求項５】
シャーシの孔内周の各係合片の内径を徐々に変化させたことを特徴とする請求項１に記載のアンテナ端子の固定構造。
【請求項６】
シャーシの孔内周の各係合片の厚みを徐々に変化させたことを特徴とする請求項１に記載のアンテナ端子の固定構造。
【請求項７】
アンテナ端子の基部外周の溝に凸部を形成し、シャーシの孔内周の係合片に該凸部に嵌合する凹部を設けたことを特徴とする請求項１に記載のアンテナ端子の固定構造。
【請求項８】
アンテナ端子の基部外周の溝に凹部を形成し、シャーシの孔内周の係合片に該凹部に嵌合する凸部を設けたことを特徴とする請求項１に記載のアンテナ端子の固定構造。
【請求項９】
アンテナ端子は、Ｆ接栓であることを特徴とする請求項１に記載のアンテナ端子の固定構造。
【請求項１０】
アンテナ端子は、ＤＩＮ端子であることを特徴とする請求項１に記載のアンテナ端子の固定構造。
【請求項１１】
アンテナ端子は、ソケット端子であることを特徴とする請求項１に記載のアンテナ端子の固定構造。
【発明の詳細な説明】
【技術分野】
【０００１】
本発明は、アンテナ端子をシャーシに固定するためのアンテナ端子の固定構造に関する。
【背景技術】
【０００２】
一般に、アンテナ端子は、回路基板をシールドするための金属製シャーシに取り付けられることが多い。例えば、図１１に示す様にシャーシ１０１の側板に孔１０１ａを形成しておき、アンテナ端子１０２の基部１０３をシャーシ１０１側板の孔１０１ａに挿入して固定し、アンテナ端子１０２中央の棒状端子１０４をシャーシ１０１内蔵の回路基板（図示せず）の配線パターンに半田付け等により接続する。
【０００３】
アンテナ端子１０２の基部１０３は、図１２（ａ）に示す様な形状であり、図１２（ｂ）に示す様に基部１０３をシャーシ１０１側板の孔１０１ａに挿入してから、基部１０３にカシメ用工具１０５を押し付けることにより基部１０３を潰して、アンテナ端子１０２をシャーシ１０１側板に固定し、更に基部１０３をシャーシ１０１に半田付けして接地する。
【発明の開示】
【発明が解決しようとする課題】
【０００４】
ところで、カシメ用工具１０５を用いて、シャーシ１０１側板の孔１０１ａに挿入されたアンテナ端子１０２の基部１０３を押し潰すには、カシメ用工具１０５をシャーシ１０１内側でストローク動作させねばならなず、このストローク動作のための空間をシャーシ１０１内側に設ける必要がある。このため、アンテナ端子１０２周辺でのシャーシ１０１の構造が制限され、シャーシ１０１の設計の自由度が低く、シャーシ１０１の小型化が困難であった。
【０００５】
そこで、本発明は、上記従来の問題点に鑑みてなされたものであり、カシメ用工具を用いずに、シャーシに取り付けて固定することが可能なアンテナ端子の固定構造を提供することを目的とする。
【課題を解決するための手段】
【０００６】
上記課題を解決するために、本発明は、アンテナ端子の基部をシャーシの孔に挿入して固定するためのアンテナ端子の固定構造において、アンテナ端子の基部外周に溝と鍔を並設して、この鍔に複数の切り欠き部を形成し、シャーシの孔内周に該アンテナ端子の鍔の各切り欠き部を通じて該アンテナ端子の溝に至る複数の係合片を設けている。
【０００７】
また、本発明においては、アンテナ端子の基部外周の溝を少なくとも１箇所でふさいでいる。
【０００８】
更に、本発明においては、アンテナ端子の基部外周の溝の深さを徐々に変化させている。
【０００９】
また、本発明においては、アンテナ端子の基部外周の溝の幅を徐々に変化させている。
【００１０】
更に、本発明においては、シャーシの孔内周の各係合片の内径を徐々に変化させている。
【００１１】
また、本発明においては、シャーシの孔内周の各係合片の厚みを徐々に変化させている。
【００１２】
更に、本発明においては、アンテナ端子の基部外周の溝に凸部を形成し、シャーシの孔内周の係合片に該凸部に嵌合する凹部を設けている。
【００１３】
また、本発明においては、アンテナ端子の基部外周の溝に凹部を形成し、シャーシの孔内周の係合片に該凹部に嵌合する凸部を設けている。
【００１４】
更に、本発明においては、アンテナ端子は、Ｆ接栓である。
【００１５】
また、本発明においては、アンテナ端子は、ＤＩＮ端子である。
【００１６】
更に、本発明においては、アンテナ端子は、ソケット端子である。
【発明の効果】
【００１７】
この様な構成の本発明によれば、アンテナ端子の基部がシャーシの孔に挿入されると、シャーシの孔内周の各係合片がアンテナ端子の鍔の各切り欠き部を通じてアンテナ端子の溝に至る。その上で、アンテナ端子が回転されると、シャーシの孔内周の各係合片がアンテナ端子の溝内で移動して、シャーシの孔内周の各係合片とアンテナ端子の鍔が係合し、アンテナ端子がシャーシに取り付けられて固定される。このため、カシメ用工具を用いずに、アンテナ端子をシャーシに取り付けて固定することができ、シャーシの構造が制限されず、シャーシの設計の自由度が高くなる。
【００１８】
また、本発明によれば、アンテナ端子の基部外周の溝を少なくとも１箇所でふさいでいるので、アンテナ端子の基部がシャーシの孔に挿入されて、アンテナ端子が回転されたときに、シャーシの孔内周の各係合片がアンテナ端子の溝のふさがれた箇所まで移動する。これにより、アンテナ端子の溝におけるシャーシの孔内周の各係合片の位置を適宜に制限して、シャーシの孔内周の各係合片とアンテナ端子の鍔を確実に係合させることができる。
【００１９】
更に、本発明によれば、アンテナ端子の基部外周の溝の深さを徐々に変化させたり、アンテナ端子の基部外周の溝の幅を徐々に変化させたりしているので、アンテナ端子の基部がシャーシの孔に挿入されて、アンテナ端子が回転されたときに、シャーシの孔内周の各係合片がアンテナ端子の溝に食い込み、アンテナ端子がシャーシに確実に固定される。
【００２０】
また、本発明によれば、シャーシの孔内周の各係合片の内径を徐々に変化させたり、シャーシの孔内周の各係合片の厚みを徐々に変化させたりしている。この場合も、アンテナ端子の基部がシャーシの孔に挿入されて、アンテナ端子が回転されたときに、シャーシの孔内周の各係合片がアンテナ端子の溝に食い込み、アンテナ端子がシャーシに確実に固定される。
【００２１】
更に、本発明によれば、アンテナ端子の基部外周の溝に凸部を形成し、シャーシの孔内周の係合片に該凸部に嵌合する凹部を設けている。あるいは、アンテナ端子の基部外周の溝に凹部を形成し、シャーシの孔内周の係合片に該凹部に嵌合する凸部を設けている。このため、アンテナ端子の基部がシャーシの孔に挿入されて、アンテナ端子が回転されたときに、凸部と凹部が相互に嵌合して、アンテナ端子がシャーシに確実に固定される。
【発明を実施するための最良の形態】
【００２２】
以下、本発明の実施形態を添付図面を参照して詳細に説明する。
【実施例１】
【００２３】
図１（ａ）、（ｂ）、及び（ｃ）は、本発明の固定構造の実施例１におけるアンテナ端子を示す側面図、（ａ）のＡ−Ａに沿う断面図、及び底面図である。また、図２は、実施例１におけるシャーシの孔を示す平面図である。
【００２４】
実施例１のアンテナ端子１１は、金属製の円筒状のものであって、該円筒状の内側に絶縁部材を充填し、該絶縁部材の中央に棒状端子１２を貫通させて支持したものである。また、アンテナ端子１１の基部１３の外周に溝１４を形成し、基部１３の端に鍔１５を設けている。鍔１５は、２つの鍔片１５ａからなり、各鍔片１５ａ間が２つの切り欠き部１５ｂとなっている。
【００２５】
一方、実施例１のシャーシ２１の孔２２は、その内周に２つの係合片２２ａを有しており、各係合片２２ａ間が２つの切り欠き部２２ｂとなっている。各係合片２２ａは、アンテナ端子１１の鍔１５の各切り欠き部１５ｂに通る様に、それらの大きさ及び位置が設定されている。また、各切り欠き部２２ｂは、アンテナ端子１１の鍔１５の各鍔片１５ａが通る様に、それらの大きさ及び位置が設定されている。
【００２６】
さて、アンテナ端子１１をシャーシ２１に取り付けるには、まずアンテナ端子１１の基部１３をシャーシ２１の孔２２に挿入する。このとき、図３（ａ）に示す様にシャーシ２１の各係合片２２ａがアンテナ端子１１の鍔１５の各切り欠き部１５ｂを通じてアンテナ端子１１の溝１４に至り、かつアンテナ端子１１の鍔１５の各鍔片１５ａがシャーシ２１の各切り欠き部２２ｂを通じて該シャーシ２１の裏面側に至る。
【００２７】
そして、アンテナ端子１１を回転させる。これにより、図３（ｂ）に示す様にシャーシ２１の各係合片２２ａがアンテナ端子１１の溝１４内で回転移動して、アンテナ端子１１の各鍔片１５ａがシャーシ２１の各係合片２２ａの裏面側に重なり合い、アンテナ端子１１の各鍔片１５ａとシャーシ２１の各係合片２２ａが係合し、アンテナ端子１１がシャーシ２１に取り付けられる。更に、アンテナ端子１１の基部１３をシャーシ２１に半田付けして接地する。
【００２８】
この後、アンテナ端子１１の棒状端子１２をシャーシ２１内蔵の回路基板（図示せず）の配線パターンに半田付け等により接続する。
【００２９】
この様にアンテナ端子１１の基部１３をシャーシ２１の孔２２に挿入し、アンテナ端子１１を回転させて、アンテナ端子１１の各鍔片１５ａとシャーシ２１の各係合片２２ａを係合させるだけで、アンテナ端子１１をシャーシ２１に取り付けることができるので、従来の様にカシメ用工具をシャーシ内側でストローク動作させる必要がない。このため、シャーシ２１の構造が制限されず、シャーシ２１の設計の自由度が高くなり、シャーシ２１の小型化等を図ることができる。
【００３０】
図４は、固定構造の変形例１を示す断面図である。ここでは、アンテナ端子１１の溝１４にそれぞれのストッパー１４ａを設けている。各ストッパー１４ａは、アンテナ端子１１の各鍔片１５ａの端部に位置しており、アンテナ端子１１の溝１４内で回転移動されるシャーシ２１の各係合片２２ａに当接し、各係合片２２ａを位置決めしてアンテナ端子１１の各鍔片１５ａに確実に重なり合わせ、アンテナ端子１１の各鍔片１５ａとシャーシ２１の各係合片２２ａを確実に係合させる。これにより、アンテナ端子１１の取り付け作業が容易になる。
【００３１】
図５は、固定構造の変形例２を示す断面図である。ここでは、アンテナ端子１１の溝１４の深さを徐々に変化させている。アンテナ端子１１の基部１３をシャーシ２１の孔２２に挿入し、アンテナ端子１１を回転させて、シャーシ２１の各係合片２２ａをアンテナ端子１１の溝１４の深い箇所から浅い箇所へと回転移動させ、各係合片２２ａの先端をアンテナ端子１１の溝１４に食い込ませる。これにより、アンテナ端子１１がシャーシ２１に確実に固定される。
【００３２】
図６は、固定構造の変形例３を示す断面図である。ここでは、アンテナ端子１１の溝１４の幅を徐々に変化させている。アンテナ端子１１の基部１３をシャーシ２１の孔２２に挿入し、アンテナ端子１１を回転させて、シャーシ２１の各係合片２２ａをアンテナ端子１１の溝１４の広い幅の箇所から狭い幅の箇所へと回転移動させ、各係合片２２ａの先端をアンテナ端子１１の溝１４に食い込ませる。これにより、アンテナ端子１１がシャーシ２１に確実に固定される。
【００３３】
尚、アンテナ端子１１の溝１４にヒネリを加えて、シャーシ２１の各係合片２２ａの先端をアンテナ端子１１の溝１４に食い込ませても良い。
【００３４】
図７は、固定構造の変形例４を示している。ここでは、シャーシ２１の各係合片２２ａの内径ｄを徐々に変化させている。アンテナ端子１１の基部１３をシャーシ２１の孔２２に挿入し、アンテナ端子１１を回転させて、シャーシ２１の各係合片２２ａを該各係合片２２ａの内径ｄの大きい部位から小さい部位へとアンテナ端子１１の溝１４に入り込ませて行き、各係合片２２ａの先端をアンテナ端子１１の溝１４に食い込ませる。これにより、アンテナ端子１１がシャーシ２１に確実に固定される。
【００３５】
図８（ａ）及び（ｂ）は、固定構造の変形例５を示している。ここでは、シャーシ２１の各係合片２２ａの厚みｅを徐々に変化させている。アンテナ端子１１の基部１３をシャーシ２１の孔２２に挿入し、アンテナ端子１１を回転させて、シャーシ２１の各係合片２２ａの薄い部位から厚い部位へと該各係合片２２ａをアンテナ端子１１の溝１４に入り込ませて行き、各係合片２２ａの先端をアンテナ端子１１の溝１４に食い込ませる。これにより、アンテナ端子１１がシャーシ２１に確実に固定される。
【００３６】
尚、シャーシ２１の各係合片２２ａにヒネリを加えて、各係合片２２ａの先端をアンテナ端子１１の溝１４に食い込ませても良い。
【００３７】
図９は、固定構造の変形例６を示している。ここでは、アンテナ端子１１の溝１４の２個所に凹部１４ｂを形成する共に、シャーシ２１の各係合片２２ａの２個所に凸部２２ｃを形成している。アンテナ端子１１の基部１３をシャーシ２１の孔２２に挿入し、アンテナ端子１１を回転させて、アンテナ端子１１の各鍔片１５ａとシャーシ２１の各係合片２２ａを重なり合わせると、アンテナ端子１１の溝１４の各凹部１４ｂとシャーシ２１の各係合片２２ａの凸部２２ｃが嵌合し、アンテナ端子１１がシャーシ２１に確実に固定される。
【００３８】
図１０は、固定構造の変形例７を示している。ここでは、アンテナ端子１１の溝１４の２個所に凸部１４ｃを形成する共に、シャーシ２１の各係合片２２ａの２個所に凹部２２ｄを形成している。アンテナ端子１１の基部１３をシャーシ２１の孔２２に挿入し、アンテナ端子１１を回転させて、アンテナ端子１１の各鍔片１５ａとシャーシ２１の各係合片２２ａを重なり合わせると、アンテナ端子１１の溝１４の各凸部１４ｃとシャーシ２１の各係合片２２ａの凹部２２ｄが嵌合し、アンテナ端子１１がシャーシ２１に確実に固定される。
【００３９】
尚、本発明は、上記実施形態に限定されるものではなく、多様に変形することができる。例えば、アンテナ端子１１の各鍔片１５ａ並びに各切り欠き部１５ｂの数を増加させると共に、シャーシ２１の各係合片２２ａ並びに各切り欠き部２２ｂの数を増加させても良い。また、本発明の取り付け構造は、Ｆ接栓、ＤＩＮ端子、及びソケット端子等に好適である。
【図面の簡単な説明】
【００４０】
【図１】（ａ）、（ｂ）、及び（ｃ）は、本発明の固定構造の実施例１におけるアンテナ端子を示す側面図、（ａ）のＡ−Ａに沿う断面図、及び底面図である。
【図２】実施例１におけるシャーシの孔を示す平面図である。
【図３】（ａ）及び（ｂ）は、図１のアンテナ端子を図１のシャーシの孔に取り付ける過程を示す図である。
【図４】本発明の固定構造の変形例１を示す断面図である。
【図５】本発明の固定構造の変形例２を示す断面図である。
【図６】本発明の固定構造の変形例３を示す断面図である。
【図７】本発明の固定構造の変形例４を示す断面図である。
【図８】本発明の固定構造の変形例５を示す断面図である。
【図９】（ａ）及び（ｂ）は、本発明の固定構造の変形例６を示す平面図及びＡ−Ａに沿う断面図である。
【図１０】本発明の固定構造の変形例７を示す断面図である。
【図１１】従来のアンテナ端子及びシャーシを示す斜視図である。
【図１２】（ａ）は図１１のアンテナ端子を示す側面図であり、（ｂ）は図１１のアンテナ端子をシャーシに取り付けた状態を示す側面図である。
【符号の説明】
【００４１】
１１  アンテナ端子
１２  棒状端子
１３  基部
１４  溝
１５  鍔
１５ａ  鍔片
１５ｂ  切り欠き部
２１  シャーシ
２２  孔
２２ａ  係合片
２２ｂ  切り欠き部
【図１】
2005044628.tif 000003
【図２】
2005044628.tif 000004
【図３】
2005044628.tif 000005
【図４】
2005044628.tif 000006
【図５】
2005044628.tif 000007
【図６】
2005044628.tif 000008
【図７】
2005044628.tif 000009
【図８】
2005044628.tif 000010
【図９】
2005044628.tif 000011
【図１０】
2005044628.tif 000012
【図１１】
2005044628.tif 000013
【図１２】
2005044628.tif 000014